(57)【要約】【課題】目皿の清浄度を高く保持可能な小便器を提供する。【解決手段】本発明に係る小便器は、使用状態における使用者側に開口する便鉢を有する小便器本体と、前記便鉢の底部に形成された排水口８２に載置された目皿４と、を備え、目皿４の表面４ｓは稠密である。【選択図】図８
2019178577.tif 000002
【特許請求の範囲】
【請求項１】
使用状態において使用者側に開口する便鉢を有する小便器本体と、
前記便鉢の底部に形成された排水口に載置された目皿と、
を備え、
前記目皿の表面は稠密であることを特徴とする小便器。
【請求項２】
前記排水口は上側から下側に進むにしたがって窄まるように形成され、
前記目皿は、
周方向において一部が前記排水口の周壁部の径方向の内側に当接する当接部を有し、かつ前記排水口に挿入可能な挿入部と、
前記挿入部の上端から径方向の外側に拡がる皿部と、
を備え、
上面視において前記皿部は前記排水口の上端より小さい、
請求項１に記載の小便器。
【請求項３】
前記排水口は上側から下側に進むにしたがって窄まるように形成され、
前記目皿は、
周方向において一部が前記排水口の周壁部の径方向の内側に当接する当接部を有し、かつ前記排水口に挿入可能な挿入部と、
前記挿入部の上端から径方向の外側に拡がる皿部と、
を備え、
前記挿入部が前記排水口に載置された状態で前記皿部の少なくとも上端部が前記排水口の上端より上方に位置する、
請求項１又は請求項２に記載の小便器。
【発明の詳細な説明】
【技術分野】
【０００１】
本発明は、小便器に関する。
【背景技術】
【０００２】
一般に、小便器は、鉛直方向に沿って延びる壁面に取り付けられている。例えば、特許文献１には、使用者に対向する対向面を有する便鉢と、対向面に設けられて上下方向に延材する凸部と、対向面に沿って洗浄水を吐水する吐水部とを備えた小便器が開示されている。特許文献１に記載されている小便器では、便鉢の下端に排出口が形成されており、排出口には目皿が載置されている。
【先行技術文献】
【特許文献】
【０００３】
【特許文献１】特開２０１７−４４０１０号公報
【発明の概要】
【発明が解決しようとする課題】
【０００４】
特許文献１に記載されている小便器では、吐水部から吐水された洗浄水が対向面を流下して凸部の上端部に到達すると、凸部によって洗浄水の流れが左右方向に拡がる。このことによって、対向面の全体に洗浄水が流れ、便鉢の内面が良好に洗浄される。このように従来の小便器では、便鉢の内面の洗浄に使われた水が排水口に集められ、排水される。
【０００５】
しかしながら、図９に例示するように従来の小便器の目皿２０４は、排水口２８２に載置されている。目皿２０４には、便鉢の内面の洗浄に使われた水を円滑に排水トラップへ排出するために上側から下側に向かって目皿２０４を貫通する貫通孔Ｈが形成されているが、貫通孔Ｈに汚れが付着しやすい、あるいは貯まりやすいうえに、貫通孔Ｈの径方向の大きさが微小であることによって清掃に手間がかかるため、目皿の清浄度が低下するという問題があった。なお、特許文献１に記載されている小便器の場合、目皿に上面視で３つの貫通孔が形成されているので、前述の問題が顕著になる。
【０００６】
そこで、本発明は、目皿の清浄度を高く保持可能な小便器を提供する。
【課題を解決するための手段】
【０００７】
本発明に係る小便器は、使用状態において使用者側に開口する便鉢を有する小便器本体と、前記便鉢の底部に形成された排水口に載置された目皿と、を備え、前記目皿の表面は稠密であることを特徴とする。
【０００８】
本発明の小便器によれば、目皿の表面が稠密であって、従来のように目皿に貫通孔が形成されていないので、従来のように目皿の貫通孔に汚れが侵入せず、かつ目皿の表面を清掃しやすくなり、目皿の清浄度が高く保持される。
【０００９】
また、本発明に係る小便器では、前記排水口は上側から下側に進むにしたがって窄まるように形成され、前記目皿は、周方向において一部が前記排水口の周壁部の径方向の内側に当接する当接部を有し、かつ前記排水口に挿入可能な挿入部と、前記挿入部の上端から径方向の外側に拡がる皿部と、を備え、上面視において前記皿部は前記排水口の上端より小さいことが好ましい。
また、本発明に係る小便器では、前記挿入部が前記排水口に載置された状態で前記皿部の少なくとも上端部が前記排水口の上端より上方に位置し、上面視において前記皿部は前記排水口の上端より小さいことが好ましい。
【００１０】
本発明の小便器によれば、表面が稠密な目皿において、皿部は排水口の上端より小さいので、便鉢の内周面を流下しつつ排水口に向けて導かれた水を目皿の上面に回して上面を洗浄しつつ、目皿と排水口との隙間から円滑に流下させて排水トラップに排水することができる。
【発明の効果】
【００１１】
本発明によれば、目皿の清浄度を高く保持可能な小便器が提供される。
【図面の簡単な説明】
【００１２】
【図１】本発明に係る一実施形態の小便器が壁に取り付けられた状態を示す斜視図である。
【図２】図１に示す小便器の小便器本体の正面図である。
【図３】図１に示す小便器の小便器本体の側面図である。
【図４】図１に示す小便器の小便器本体の上面図である。
【図５】図１に示す小便器の小便器本体の底面図である。
【図６】図２に示すＣ１−Ｃ１線で矢視した小便器本体の断面図である。
【図７】図２に示す小便器本体に関する図であって、（ａ）はＣ２−Ｃ２線で矢視した小便器本体の断面図であり、（ｂ）はＣ３−Ｃ３線で矢視した小便器本体の断面図であり、（ｃ）はＣ４−Ｃ４線で矢視した小便器本体の断面図である。
【図８】図１に示す小便器の排水口及び目皿の一部を破断した側面図である。
【図９】従来の小便器の排水口及び目皿の断面図である。
【発明を実施するための形態】
【００１３】
以下、本発明の実施形態による小便器について、図面を参照して説明する。
【００１４】
図１に示すように、本実施形態の小便器１は、床面Ｆから鉛直方向に沿って延びる壁面Ｋに、最下部が床面Ｆから離れた状態で取り付けられる。本実施形態においては、不図示の使用者が小便器１を挟んで壁面Ｋに対向するように立った際に、使用者に近い側を前側、使用者から遠い側を後側とし、前側と後側とを結ぶ方向を前後方向Ｘ２とする。また、小便器１を前側から見たときの左側と右側とを結ぶ方向を左右方向Ｘ１とし、左右方向Ｘ１及び前後方向Ｘ２の双方に直交し、且つ小便器１を前側から見たときの上側と下側とを結ぶ方向を上下方向Ｘ３とする。
【００１５】
図１から図３に示すように、小便器１は、少なくとも前側（使用状態における使用者側）に開口する便鉢１１を有する小便器本体１０を備え、便鉢１１の内周面８１に吐水可能なスプレッダー２と、便鉢１１の内周底面８１ｃに形成された排水口８２と、排水口８２に連結された排水トラップ３とをさらに備える。
【００１６】
本実施形態の小便器本体１０は、小便器１の外周面１２を構成する外壁部１６を備える。外壁部１６は、壁面Ｋから前側に突出している。外壁部１６には、前側から後側に向かって斜め上方から見たときに対面し、トラック形状をなす開口１３が形成されている。本明細書において、トラック形状とは、左側及び右側の外周端がそれぞれ直線をなし、互いに平行するとともに、上側及び下側の外周端がそれぞれ略半円状の円弧をなし、それぞれの円弧の始点と終点に前述の左側の外周端と右側の外周端が連結している形状を表す。
【００１７】
便鉢１１は、開口１３の周端縁（端縁）８３を外壁部１６と共有し、外壁部１６で囲まれた空間に周端縁８３から後側及び下側に向けて凹むように形成されている（図１及び図５参照）。すなわち、小便器本体１０は、外壁部１６と便鉢１１によって構成される中空体である。
【００１８】
図２に示すように、外壁部１６の外周面１２は、外周上面１２ａと、外周側面１２ｂ，１２ｄと、外周底面１２ｃと、外周前面１２ｆと、外周背面１２ｅを有する。
【００１９】
図３及び図６に示すように、外周上面１２ａは、前後方向Ｘ２において後側から前側に進むにしたがって、すなわち壁面Ｋから離間するにしたがって略一定の勾配で下降している。外周上面１２ａと壁面Ｋとがなす角度θ（狭角）は５０°より大きく、９０°より小さいことが好ましく、６０°より大きく、７０°より小さいことがより好ましい。角度θが５０°以下になると、不図示の清掃者の手が外周上面１２ａの後側に届きにくくなり、小便器本体１０の清掃性が低下する虞がある。また、角度θが９０°以上になると、そもそも外周上面１２ａが後側から前側に向かって下降することになるので、使用状態において外周上面１２ａと壁面Ｋとの隙間が露出してしまう。角度θが９０°であると、外周上面１２ａが前後方向Ｘ２において平坦になり、外周上面１２ａ上にゴミや汚れが貯まりやすく、小便器１の意匠性が低下する虞があるだけでなく、清掃者や使用者が外周上面１２ａ上にモノを置きやすくなり、モノを勢いよく置かれた際に破損する虞がある。
【００２０】
図２に示すように、外周上面１２ａは壁面Ｋに沿う左右方向Ｘ１において中央から遠ざかるにしたがって下降している。本実施形態では、左右方向Ｘ１における外周上面１２ａは、中央から所定の位置まで上側に凸となるように湾曲し、所定の位置から左右方向Ｘ１の略両端まで略一定の勾配で下降する。その後、外周上面１２ａは、再び湾曲し、外周側面１２ｂ，１２ｄのいずれか一方の面へ滑らかに接続する。また、前後方向Ｘ２で見ると、外周上面１２ａの左右方向Ｘ１の勾配は後側より前側の方が大きい。
なお、本実施形態の小便器本体１０のように外周上面１２ａが曲面である場合、上下方向Ｘ３に対する外周面１２の勾配（すなわち、外周面１２上の任意の位置を通る外周面１２の接線の上下方向Ｘ３に沿う仮想線に対する勾配）は、左右方向Ｘ１において、一方の側端（すなわち、外周側面１２ｂ，１２ｄの一方）で零（ゼロ）である。その状態から、上下方向Ｘ３に対する外周面１２の勾配は、他方の側端（すなわち、外周側面１２ｂ，１２ｄの他方）に向かうと零より大きくなって増加し、左右方向Ｘ１の中央で最大になる。さらに、上下方向Ｘ３に対する外周面１２の勾配は、左右方向Ｘ１の中央から他方の側端に近づくにしたがって減少し、他方の側端で再び零になる。本明細書において、曲面である外周上面１２ａは、上下方向Ｘ３に対する勾配が０より大きい面を表す。
【００２１】
図３に示すように、側面視では、外周側面１２ｂ，１２ｄは、上下方向Ｘ３において、上側から周端縁８３の最下部まで進むにしたがって、前側が略一定の距離で前側に延出するように形成されている。すなわち、外周側面１２ｂ，１２ｄは、上下方向Ｘ３において、上側から下側に進むにしたがって、周端縁８３が略一定の距離で壁面Ｋから離間するように、傾斜している。また、外周側面１２ｂ，１２ｄは、上下方向Ｘ３において、周端縁８３の最下部から下側に進むにしたがって、前側が略一定の割合で後側に後退するように形成されている。
【００２２】
図２に示すように、正面視では、外周側面１２ｂ，１２ｄは、上下方向Ｘ３において互いに平行し、かつ床面Ｆ（図１参照）に直交している。また、図４に示すように、上面視では、外周側面１２ｂ，１２ｄは、前後方向Ｘ２において前側から後側に進むにしたがって、互いに僅かに離れるように拡がっている。
【００２３】
図３に示すように、外周底面１２ｃは、前後方向Ｘ２において前側から後側に向かう際に、所定の位置まで略水平に、すなわち床面Ｆに対して略平行に進んだ後に、僅かに上側に凹み、やや下降した後に下側に僅かに突出している。外周底面１２ｃの中央部は、後述する排水口８２の下方にあたり、上下方向Ｘ３における上側に凹む凹部８７が形成されている。凹部８７には、排水口８２で便鉢１１に連結された排水トラップ３が上下方向Ｘ３における下側に設けられている。
【００２４】
図３及び図６に示すように、側面視では、外周前面１２ｆは、上下方向Ｘ３において、上側から周端縁８３の最下部まで進むにしたがって周端縁８３のみで構成される。また、上下方向Ｘ３において、外周前面１２ｆは、周端縁８３の最下部から外壁部１６の最下部まで左右方向Ｘ１の全体にわたり、かつ周端縁８３の最下部から下側に進むにしたがって外周側面１２ｂ，１２ｄと連動し、後側に略一定の割合で後退する。また、図４に示すように、上面視では、外周前面１２ｆは、左右方向Ｘ１において、中央から遠ざかるにしたがって後側に位置するように、かつ前側に凸となるように湾曲している。
【００２５】
図６に示すように、外周背面１２ｅは、少なくとも部分的に壁面Ｋに当接するように、壁面Ｋに沿って形成されている。本実施形態では、前後方向Ｘ２において後側から前側へ向かって見た際に、外周背面１２ｅの外周部が壁面Ｋに当接可能とされている。外周背面１２ｅの中央部は、外周部から前後方向Ｘ２において前側に凹み、便鉢１１や排水トラップ３と適宜接続するように形成されている。また、外周背面１２ｅの中央部は、小便器１の壁面Ｋへの取り付け状態において、壁面Ｋとの間にスプレッダー２の少なくとも基端部を収容する空間を形成する。外周背面１２ｅの外周部は、この空間を封止する。
【００２６】
便鉢１１の内周面８１は、内周上面８１ａと、内周側面８１ｂ，８１ｄと、内周底面８１ｃと、内周前面８１ｆと、内周後面８１ｅを有する。
【００２７】
図６に示すように、内周上面８１ａは、前後方向Ｘ２において後側から前側に進むにしたがって、すなわち壁面Ｋから離間するにしたがって略一定の勾配で上昇している。内周上面８１ａと壁面Ｋとがなす角度（狭角）φは、０°より大きく、６０°より小さいことがより好ましく、１０°より大きく、３０°より小さいことが好ましい。角度φが６０°以上になると、清掃者が清掃前後の状態を確認しにくくなる虞がある。さらに、角度φが前述の範囲内であると、内周上面８１ａは、前述のように傾斜しつつ、内周側面８１ｂ，８１ｄ及び内周後面８１ｅと接続部分に近づくにつれて湾曲しながら滑らかに接続される。そのため、内周上面８１ａの清掃性が良い。
【００２８】
内周上面８１ａは、壁面Ｋに沿う左右方向Ｘ１において、中央から遠ざかるにしたがって下降する。本実施形態では、左右方向Ｘ１において、内周上面８１ａは、外周上面１２ａをなぞり、中央から所定の位置まで離れるまで上側に凸となるように湾曲した後、内周側面８１ｂ，８１ｄの何れか一方の面へ円滑に接続している。
【００２９】
図７（ａ），（ｂ），（ｃ）に示すように、上下方向Ｘ３において上側から下側に至る断面視では、内周側面８１ｂ，８１ｄは、上側から周端縁８３の最下部まで進むにしたがって、周端縁８３をなぞって前側に延び、内周底面８１ｃに接続する。同じ断面視において、内周側面８１ｂ，８１ｄの前端部１８０（すなわち、周端縁８３）同士の左右方向Ｘ１の間隔は略一定になっている。つまり、内周側面８１ｂ，８１ｄのそれぞれの前端部１８０は、トラック形状を有する周端縁８３をなぞり、上下方向Ｘ３の位置によらず、左右方向Ｘ１において略一定の間隔で離間している。
【００３０】
図６に示すように、内周底面８１ｃには、排水口８２が形成されている。排水口８２は、上面視で略円形の開口を有し、かつ内周底面８１ｃから上下方向Ｘ３において上側から下側に進むにしたがって窄まっている。内周底面８１ｃは、左右方向Ｘ１及び前後方向Ｘ２において排水口８２の円形開口に向かって窄まるように、所定の勾配をもって上下方向Ｘ３で傾斜している。排水口８２は、排水トラップ３を有する排水流路３３に連結されている。
【００３１】
排水口８２には、目皿４が載置されている。目皿４の表面４ｒは稠密である。表面４ｒは、便鉢１１の内部に露出している上面だけではなく、側面や底面も含んでいる。目皿４は、排水口８２に挿入される挿入部９０と、挿入部９０の上端９０ｔから径方向Ｒ２の外側に拡がる皿部８８とを備える。
【００３２】
挿入部９０は、上下方向Ｘ３において上側から下側に進むにしたがって、周壁部８の内周面（内側）８ｐと径方向Ｒ２に間隔をあけつつ、窄まっている。挿入部９０の上端部には、周方向Ｒ１において一部が径方向Ｒ２の外側に延びつつ、先端部９５ｈが周壁部８の内周面８ｐに当接する当接部９５が設けられている。周壁部８と目皿４との間の隙間は、スプレッダー２から吐水されて便鉢１１の内周底面８１ｅに集められた水の排水経路になっている。この排水経路の面積を良好に確保するために、周方向Ｒ１において当接部９５の割合は例えば５％以上２０％以下であることが好ましい。
【００３３】
当接部９５が内周面８ｐに当接することによって挿入部９０によって皿部８８が支持されている。図４に示すように、皿部８８は、排水口８２の上端８２ｔより小さい。すなわち、上面視したときに、皿部８８は、排水口８２の上端８２ｔと径方向Ｒ２の間隔をあけて、排水口８２を覆っている。目皿４は、例えば陶器や樹脂でできている。
【００３４】
図６に示すように、断面視では、内周前面８１ｆは、上下方向Ｘ３に対して略一定の勾配になっており、周端縁８３の最下部（内周前面８１ｆの上端）から下端まで進むにしたがって、前後方向Ｘ２において後退する。上下方向Ｘ３に対する内周前面８１ｆの勾配は、同方向に対する外周前面１２ｆの勾配に比べてやや大きい。
また、内周前面８１ｆは、外周前面１２ｆと同様に、左右方向Ｘ１において、中央から遠ざかるにしたがって後側に位置するように、かつ前側に凸となるように湾曲している。すなわち、上面視において、内周前面８１ｆの前端部（開口の最下部にあたる便鉢の端部）１８１近傍の左右方向Ｘ１に対する曲率は、２％以下であることが好ましい。前端部１８１近傍の内周前面８１ｆの曲率が２％より大きくなると、上面視において内周前面８１ｆが前端部１８１を先端として尖った形状を有することになり、内周前面８１ｆの面積が大きくなるので、尿ダレや尿の飛散を抑える効果が低下する虞がある。
【００３５】
内周後面８１ｅは、上下方向Ｘ３において上側から下側へ向かって見た際に、所定の位置までほぼ鉛直方向に沿って壁面Ｋに平行し、所定の位置から最下部に向けて前後方向Ｘ２の前側に向かって湾曲するように形成されている。また、上下方向Ｘ３において上側から下側へ進むにしたがって、内周後面８１ｅは、左右方向Ｘ１において縮小する。すなわち、上下方向Ｘ３において上側から下側へ進むにしたがって、内周後面８１ｅにおいて壁面Ｋに平行する部分の左右方向Ｘ１の幅は小さくなっている。
【００３６】
内周後面８１ｅの上部には、正面視において略円形の貫通孔８５が形成されている。貫通孔８５には、前後方向Ｘ２に沿ってスプレッダー２が貫通している。スプレッダー２の吐水ヘッドは、便鉢１１の内周面８１で囲まれる空間内に突出している。このことによって、吐水ヘッドから吐水される洗浄水が内周面８１に伝わり、内周面８１が洗浄される。
【００３７】
外壁部１６は、外周面１２が前述のように外周上面１２ａと、外周側面１２ｂ，１２ｄと、外周底面１２ｃと、外周前面１２ｆと、外周背面１２ｅの各面をなすように、所定の厚みを有する陶器でできている。便鉢１１は、内周面８１が前述のように内周上面８１ａと、内周側面８１ｂ，８１ｄと、内周底面８１ｃと、内周前面８１ｆと、内周後面８１ｅの各面をなすように、所定の厚みを有する陶器でできており、外壁部１６と一体的に成形されている。外周背面１２ｅを除く外周面１２、及び内周面８１は、釉薬で被覆されている。
【００３８】
以上説明した本実施形態の小便器１は、使用状態において使用者側に開口する便鉢１１を有する小便器本体１０と、便鉢１１の底部に形成された排水口８２に載置された目皿４と、を備える。また、目皿４の表面４ｒは、稠密である。
【００３９】
このような構成を備える小便器１によれば、目皿４の表面４ｒが稠密であって、従来のように目皿４に貫通孔が形成されていないので、目皿４の貫通孔に汚れを侵入させることなく、目皿４の表面４ｒを清掃しやすくし、目皿４の清浄度を高く保持できる。また、小便器１及び小便器本体と１０の意匠性も高くすることができる。
【００４０】
また、本実施形態の小便器１では、排水口８２は上下方向Ｘ３において上側から下側に進むにしたがって窄まるように形成されている。目皿４は、周方向Ｒ１において一部が周壁部８の径方向Ｒ２の内周面８ｐに当接する当接部９５を有し、かつ排水口８２に挿入可能な挿入部９０と、挿入部９０の上端９０ｔから径方向Ｒ２の外側に拡がる皿部８８と、を備える。皿部８８の少なくとも上部は、排水口８２の上端８２ｔより上方に突出している。上面視において、皿部４は排水口８２の上端８２ｔより小さい。このような構成を備える小便器１によれば、便鉢１１の内周面８１を流下しつつ排水口８２に向けて集められた水を目皿４と周壁部８との間の排水口８２に円滑に流下させる。また、表面４ｒが稠密な目皿４において、皿部８８は排水口８２の上端８２ｔより小さいので、便鉢１１の内周面８１を流下しつつ排水口８２に向けて導かれた水を目皿４の上面に回して上面を洗浄しつつ、目皿４と排水口８２との隙間から円滑に流下させて排水トラップ３に排水することができる。
【００４１】
以上、本発明の好ましい実施形態について詳述したが、本発明は係る特定の実施形態に限定されるものではなく、特許請求の範囲内に記載された本発明の要旨の範囲内において、種々の変更が可能である。
【００４２】
例えば、上述の実施形態では、目皿４が稠密であると説明したが、本発明に係る小便器の目皿は、表面が稠密であれば例えば中空体であってもよい。
【符号の説明】
【００４３】
１  小便器
４  目皿
４ｓ  表面
１０  小便器本体
１１  便鉢
８１ａ  内周底面（便鉢の底部）
８２  排水口
９２  挿入部
９４  皿部
Ｒ１  周方向
Ｒ２  径方向
【図１】
2019178577.tif 000003
【図２】
2019178577.tif 000004
【図３】
2019178577.tif 000005
【図４】
2019178577.tif 000006
【図５】
2019178577.tif 000007
【図６】
2019178577.tif 000008
【図７】
2019178577.tif 000009
【図８】
2019178577.tif 000010
【図９】
2019178577.tif 000011